(57)【要約】【課題】中性子遮蔽性能を損なうことなく、シンプルな構成で製造コストを低くする。【解決手段】ガンマ線を遮蔽する機能を有し、放射性物質を内部水１１に浸漬された状態で収容する内部空間８を有する容器本体２と、放射性物質から放出された中性子を減速させる無機材料により形成され、中性子を減速させてから内部水１１に進行させるように、放射性物質の周囲に配置された内部遮蔽体１３とを有する。【選択図】図２
2006208127.tif 000002
【特許請求の範囲】
【請求項１】
ガンマ線を遮蔽する機能を有し、放射性物質を内部水に浸漬された状態で収容する内部空間を有する容器本体と、
前記放射性物質から放出された中性子を減速させる無機材料により形成され、前記中性子を減速させてから前記内部水に進行させるように、前記放射性物質の周囲に配置された内部遮蔽体と、
を有することを特徴とする放射性物質の輸送容器。
【請求項２】
前記内部遮蔽体が、前記放射性物質を含む燃料集合体を収容する格子を複数有するバスケットを収容しており、
前記内部遮蔽体が、前記バスケットの外側面に接して配置された分割体を、前記外側面に沿って複数連ねて構成されていることを特徴とする請求項１に記載の放射性物質の輸送容器。
【請求項３】
前記容器本体の前記内部空間の形状が円柱状であり、
前記内部遮蔽体を収容した前記容器本体を倒して置いたとき、前記内部遮蔽体に収容された前記バスケットの最上段に位置する前記格子の数が、最下段に位置する前記格子の数よりも多いことを特徴とする請求項２に記載の放射性物質の輸送容器。
【請求項４】
前記内部遮蔽体を形成する前記無機材料が、鉄、鉄系合金、銅、銅系合金のうちのいずれかの金属であることを特徴とする請求項１乃至３のいずれかに記載の放射性物質の輸送容器。
【請求項５】
前記内部遮蔽体の厚さが４０ｍｍ以上１２０ｍｍ以下であることを特徴とする請求項１乃至４のいずれかに記載の放射性物質の輸送容器。
【発明の詳細な説明】
【技術分野】
【０００１】
本発明は、使用済核燃料等の放射性物質の輸送容器に関する。
【背景技術】
【０００２】
非特許文献１に記載のように、原子力発電所等から出る使用済核燃料等の放射性物質の輸送貯蔵容器は、容器内部に内部水を封入した湿式容器と、容器内部に内部水を封入しない乾式容器とに大別されるが、両者とも、環境への放射線の放出及び輸送作業に従事する作業員の被爆を少なくするために、放射線量率が輸送物の表面で２ミリシーベルト毎時（ｍＳｖ／ｈ）、表面から１メートルの点で０．１ミリシーベルト毎時（ｍＳｖ／ｈ）の制限を満たすように、放射性物質から放射されるガンマ線及び中性子を遮蔽する構成にされている。また、同時に、内部に収納した使用済核燃料等の放射性物質が崩壊する際に発生する熱を効率よく放散するように構成されている。
【０００３】
即ち、湿式容器は、鉄又は鉛から成る容器本体でガンマ線を遮蔽し、容器本体の内部に封入した内部水と、容器本体の周囲に配置された樹脂系の中性子遮蔽材（レジン）とで中性子を遮蔽するとともに、内部水と、中性子遮蔽材を貫通する伝熱フィンとで放熱を行っている。乾式容器は、特許文献１に記載のように、内部水の代わりにヘリウム等のガスを容器本体内に充填させたものであり、容器本体の周囲に配置された樹脂系の中性子遮蔽材で中性子を遮断し、中性子遮蔽材を貫通する伝熱フィンで放熱を行っている。
【０００４】
【非特許文献１】青木成文著、「放射性物質輸送のすべて」、第２版、日刊工業新聞社、２００２年４月３０日、ｐ．１３７−１４０
【特許文献１】特開２００２−２５０７９０号公報
【発明の開示】
【発明が解決しようとする課題】
【０００５】
上述した樹脂系の中性子遮蔽材は中性子を遮蔽するが、熱伝導率が低いため、容器本体からの放熱を阻害する。従って、上述したように、輸送貯蔵容器は、中性子遮蔽材を貫通する伝熱フィンにより放熱が促される構成にされている。即ち、中性子遮蔽機能と放熱機能とを両立させるために、輸送貯蔵容器の構造が複雑になっており、そのために製造コストが高くなっている。
【０００６】
本発明の目的は、中性子遮蔽機能を損なうことなく、シンプルな構成で製造コストの低い放射性物質の輸送容器を提供することである。
【課題を解決するための手段及び効果】
【０００７】
本発明の放射性物質の輸送容器は、ガンマ線を遮蔽する機能を有し、放射性物質を内部水に浸漬された状態で収容する内部空間を有する容器本体と、前記放射性物質から放出された中性子を減速させる無機材料により形成され、前記中性子を減速させてから前記内部水に進行させるように、前記放射性物質の周囲に配置された内部遮蔽体と、を有することを特徴とする。
【０００８】
本発明によると、放射性物質から放出された中性子を内部遮蔽体が積極的に減速させるので、内部水で中性子を効率よく遮蔽することができて、従来のように、中性子を遮蔽するための樹脂系の中性子遮蔽材を容器本体の周囲に設ける必要がなくなる。これにより、放熱を促すための伝熱フィンを、熱伝導率の低い中性子遮蔽材を貫通させて設ける必要もなくなり、燃料集合体から発生した熱は、容器本体から効率よく放熱される。よって、中性子遮蔽機能を損なうことなく、放射性物質の輸送容器の構成をシンプルにすることができて、製造コストを抑え、解体を容易にすることができる。
【０００９】
本発明においては、前記内部遮蔽体が、前記放射性物質を含む燃料集合体を収容する格子を複数有するバスケットを収容しており、前記内部遮蔽体が、前記バスケットの外側面に接して配置された分割体を、前記外側面に沿って複数連ねて構成されていてよい。これによると、バスケットの外側面への密接配置が容易な分割体をその外側面に沿って複数連ねることで、バスケットの外側面に密接する内部遮蔽体を容易に製作できると共に、中性子は先に分割体を貫通してから内部水に進行するため、内部遮蔽体による中性子の減速効果を有効に得ることができる。
【００１０】
本発明においては、前記容器本体の前記内部空間の形状が円柱状であり、前記内部遮蔽体を収容した前記容器本体を倒して置いたとき、前記内部遮蔽体に収容された前記バスケットの最上段に位置する前記格子の数が、最下段に位置する前記格子の数よりも多くてよい。これによると、輸送時等で容器本体を倒して置いたときに、内部空間の上方に、内部水の膨張や容器本体内の内部圧力の上昇を緩和するための空間が水平方向に延在するが、内部遮蔽体を内部水に浸漬した状態を維持することができるため、前記内部空間の上方側において、内部水による中性子遮蔽機能を損なうことがない。
【００１１】
本発明においては、前記内部遮蔽体を形成する前記無機材料が、鉄、鉄系合金、銅、銅系合金のうちのいずれかの金属であってよい。これによると、汎用的な材料で、且つ、低コストで、優れた中性子の減速効果を有する内部遮蔽体を形成できる。また、これら材料はガンマ線遮蔽機能も有するので、内部遮蔽体としてより好適である。
【００１２】
本発明においては、前記内部遮蔽体の厚さが４０ｍｍ以上１２０ｍｍ以下であってよい。これによると、中性子の減速効果を好適に得ながら、内部遮蔽体のバスケットへの取り付けの手間の負担増加を抑えることができる。
【発明を実施するための最良の形態】
【００１３】
以下、図面を参照しつつ、本発明に係る放射性物質の輸送容器の実施の形態について説明する。図１は放射性物質の輸送容器の断面図である。図２は図１のＡ−Ａ断面図である。図３は内部遮蔽体の説明図である。図４は内部遮蔽体の厚さを変化させたときの容器表面から１ｍの線量当量率のシミュレーション結果を表すグラフ図である。
【００１４】
放射性物質の輸送容器（以下、単に輸送容器という）１の容器本体２は、内部空間８を有する有底円筒形であって、ガンマ線遮蔽機能を有する炭素鋼あるいはステンレス鋼からなる。容器本体２は、ガンマ線遮蔽機能を有する密封容器としての機能を果たすために必要な最小厚さを有する。このように必要な最小厚さとすることで、ガンマ線遮蔽機能を十分に発揮しながら、輸送容器１全体の軽量化が図られている。また、後述の燃料集合体から発生した熱は、容器本体２の外表面から効率よく放熱される。
【００１５】
容器本体２の一端２ａ側は、容器本体２と同じ材質からなる蓋９で密閉される。なお、輸送容器１が耐圧容器としての密閉性能を確保するため、容器本体２と蓋９との間には図示しないガスケットが設けられている。
【００１６】
容器本体２の一端２ａ側には、上部トラニオン６が、周方向に９０度の間隔をおいて、垂直方向に２個、水平方向に２個（図示されているのは３個）突設されている。この上部トラニオン６は、一端２ａ側を上に、他端２ｂ側を下にして、輸送容器１を吊り下げるのに用いられる。このように、９０度の間隔を置いた４箇所で輸送容器１を吊り下げることで、安定した状態で輸送容器１を吊り下げることができる。
【００１７】
容器本体２の他端２ｂ側には、下部トラニオン７が、周方向に１８０度の間隔をおいて、水平方向に２個（図示されているのは１個）突設されている。この下部トラニオン７は、上端２ｃを上に、下端２ｄを下にして、輸送容器１を吊り下げるのに用いられ、その際には、水平方向に突設された２個の上部トラニオン６が同時に使用される。
【００１８】
容器本体２の上端２ｃ側であって、一端２ａ側には、水位調整用ベントオリフィス３が設けられている。また、容器本体２の上端２ｃ側であって、他端２ｂ側には、ドレンオリフィス４が設けられている。また、蓋９には、蓋９を吊り下げるための凸部９ａと加圧バルブ５とが設けられている。
【００１９】
水位調整用ベントオリフィス３は、一端２ａ側を上に、他端２ｂ側を下にして輸送容器１を立て、蓋９を外して内部水１１を容器本体２の内部空間８内に注入後、開口される。水位調整用ベントオリフィス３の開口により、内部空間８の底ｂから溜まっていった内部水１１のうち、水位ａを超えた分は水位調整用ベントオリフィス３から放出されるため、内部水１１の水位は水位ａ以上にはならない。これにより、容器本体２に蓋９をすれば、水位ａと蓋９の底部との間に気体（空気）による空間が確保されることになる。そして、図２に示すように、密閉した輸送容器１は輸送状態（横倒しの状態）では、内部空間８の上部に気体（空気）による空間１２が水平方向に延在する。このような空間１２は、燃料集合体の発熱による内部水１１の膨張や内部空間８内の圧力の上昇を緩和するために用いられる。なお、輸送容器１は倒して置かれた際に、容器本体２の下端２ｄ側に突設された上部トラニオン６の影響を受けることなく、水平に横たわることはいうまでもない。
【００２０】
図１において、水位調整用ベントオリフィス３が設けられる位置、即ち水位ａは、内部水１１の膨張や内部空間８内の圧力の上昇を緩和することができる空間１２を確保できると共に、図２のように輸送容器１を倒して置いたときに、後述の内部遮蔽体１３を内部水１１に浸漬することができるように、十分調整されている。
【００２１】
一方、図１において、ドレンオリフィス４は、内部空間８の底ｂの位置に設けられており、一端２ａ側を上に、他端２ｂ側を下にして、輸送容器１を立てた状態で、内部水１１を容器本体２の外部へ排出する際に開口される。ドレンオリフィス４の開口により、内部空間８内の内部水１１はドレンオリフィス４から全て放出される。
【００２２】
図２において、容器本体２の内部空間８内には、長尺の格子（角パイプ）を１５個有するバスケット１０を密接状態で収容した内部遮蔽体１３が収容されている。また、内部空間８内には、中性子遮蔽機能を有する内部水１１が封入されている。そして、内部空間８の上方には、内部水１１の膨張や内部空間８内の圧力の上昇を緩和するための空間１２が確保されている。なお、バスケット１０が有する格子の数はこれに限定されない。
【００２３】
バスケット１０は、ボロン添加ステンレス鋼からなり、各格子には、図示しない棒状の燃料集合体が収容されている。そして、図２の例では、バスケット１０の格子配列は、最上段の格子数が、最下段の格子数よりも多いようにされている。具体的には、格子は最上段に４個、最上段の下段に５個、その下段に４個、最下段に２個設けられている。バスケット１０をこのような輸送容器１の内部空間８の中心Ｐに対して上側の高さが低い上下非対称形状とすることで、輸送時等で輸送容器１を倒して置いたときに、内部空間８内の上方に気体（空気）からなる空間１２が水平方向に延在するが、バスケット１０を密接状態で収容した内部遮蔽体１３を内部水１１に浸漬させた状態を維持することができる。よって、前記内部空間８の上方側において内部水１１による中性子遮蔽機能を損なうことがない。
【００２４】
このようなバスケット１０を収容する内部遮蔽体１３は、燃料集合体から放出された中性子を減速させる効果を有する無機材料により形成されている。この内部遮蔽体１３がバスケット１０に収容された燃料集合体から放出される中性子を早い段階で積極的に減速させるため、内部水１１で中性子を効率よく遮蔽することができる。内部遮蔽体１３を無機材料としたのは、有機材料は、中性子を減速させる水素を多く含むものであっても、放射線により劣化してしまうためである。また、無機材料の中でも、中性子の減速効果に優れる金属材料であることが望ましい。このような金属材料は同時にガンマ線遮蔽機能を有するからである。
【００２５】
即ち、内部遮蔽体１３を形成する無機材料は、鉄、鉄系合金、銅、銅系合金のうちのいずれかの金属であることが好ましい。汎用的な材料で、且つ、低コストで、優れた中性子の減速効果を有する内部遮蔽体１３を形成できるとともに、これら材料はガンマ線遮蔽機能も有するので、内部遮蔽体１３としてより好適であるからである。特に、鉄は密度が７．８５ｇ／ｃｍ3と比較的大きく、ガンマ線の遮蔽材として最もよく使用されており、同じくガンマ線の遮蔽材として多用される鉛よりも中性子の減速効果が大きいとともに、銅よりも低コストである。鉛は鉄に比べて中性子の減速効果が劣るのみならず、内部水１１を汚染するため、環境汚染の点でも内部遮蔽体１３として好ましくない。以上を考慮すると、内部遮蔽体１３を形成する無機材料としては鉄及び鉄系合金がより好ましい。本実施の形態においては、内部遮蔽体１３はステンレス鋼からなるが、炭素鋼であってもよい。
【００２６】
図３（ａ）は内部遮蔽体１３の正面図、図３（ｂ）は内部遮蔽体１３の上面図、図３（ｃ）は図３（ａ）のＸ−Ｘ断面図、図３（ｄ）は内部遮蔽体１３の底面図、図３（ｅ）は内部遮蔽体１３の背面図である。図３（ａ）〜図３（ｄ）に示すように、内部遮蔽体１３は、図示しないバスケット１０を中心にして、１２枚の板状の分割体１３ａ〜１３ｌを１枚１枚バスケット１０の外側面に配置しながら、その外側面に沿って連ね、隣接するもの同士をボルトで連結して構成されている。このように、バスケット１０の外側面への配置が容易な分割体１３ａ〜１３ｌをその外側面に沿って１２枚連ねることで、バスケット１０の外側面に接する内部遮蔽体１３を容易に製作できると共に、中性子は先に分割体１３ａ〜１３ｌを貫通してから内部水１１に進行するため、内部遮蔽体１３による中性子の減速効果を有効に得ることができる。なお、内部遮蔽体１３には強度が要求されないため、コスト低減の観点から、内部遮蔽体１３を構成する分割体１３ａ〜１３ｌは、複数の圧延材を重ね合わせたものであってよい。また、分割体１３ａ〜１３ｌの分割数はこれに限定されない。また、分割体の形状も板状のものに限らず、棒状、ブロック状、タイル状やこれらの組み合わせ等、作業性等を考慮して選択することができる。
【００２７】
また、分割体１３ａ〜１３ｌの厚さ、即ち内部遮蔽体１３の厚さは、４０ｍｍ以上１２０ｍｍ以下が好ましい。この厚さであれば、中性子の減速効果を好適に得ながら、内部遮蔽体１３のバスケット１０への取り付けの手間の負担増加を抑えることができる。
【００２８】
また、輸送容器１を立てた状態にしたときに底となる内部遮蔽体１３の背面１６ａには、図３（ｅ）に示すように、燃料集合体がバスケット１０から抜け出さないように支持する支持金具１４ａ〜１４ｄが設けられている。具体的には、支持金具１４ａはバスケット１０の最上段の４個の格子に収納された４本の燃料集合体を夫々支持し、支持金具１４ｂはバスケット１０の最上段より１つ下段の５個の格子に収納された５本の燃料集合体を夫々支持し、支持金具１４ｃはバスケット１０の最上段より２つ下段の４個の格子に収納された４本の燃料集合体を夫々支持し、支持金具１４ｄはバスケット１０の最下段の２個の格子に収納された２本の燃料集合体を夫々支持している。
【００２９】
また、図３（ａ）〜図３（ｅ）に示すように、内部遮蔽体１３には、容器本体２の内周面に当接することで、内部空間８内の内部遮蔽体１３を支持する支持体１５ａ〜１５ｅが設けられている。具体的には、支持体１５ａは板状の分割体１３ｃに設けられ、支持体１５ｂは板状の分割体１３ｇに設けられ、支持体１５ｃは板状の分割体１３ｋに設けられ、支持体１５ｄ，１５ｅは板状の分割体１３ａに設けられている。これにより、背面１６ａ側から内部遮蔽体１３を内部空間８内に挿入した際に、支持体１５ａ〜１５ｅが容器本体２の内周面に当接するため、内部遮蔽体１３が内部空間８内で動き回ることを阻止できると共に、輸送容器１を倒して置いても、内部遮蔽体１３を内部水１１の水面下に支持することができる。また、図３（ｂ）〜図３（ｄ）に示すように、背面１６ａ側の支持体１５ａ〜１５ｅの各々には、内部遮蔽体１３の内部空間８内への挿入をスムーズにするためのテーパーが設けられている。
【００３０】
次に、上記の構成における放射性物質の輸送容器の作動について説明する。原子力発電所等において、上部トラニオン６に引掛けられたワイヤーにより吊り下げられた輸送容器１は燃料プール内に垂直に沈められ、内部空間８が燃料プールから注ぎ込まれた内部水１１で満たされた容器本体２内のバスケット１０の各格子に、燃料プールで所定期間冷却されていた燃料集合体が収容される。その後、蓋９がされ、輸送容器１は燃料プール外へ吊り上げられる。その後、除染ピットにおいて、内部水１１の水位が水位調整用ベントオリフィス３により水位ａに調整され、蓋９を容器本体２にボルトで固定することで輸送容器１が密閉される。その後、輸送容器１はトラック等の荷台上に運ばれて、横倒しにされ、トラック等で輸送される。
【００３１】
このとき、図２のように、内部空間８の上方に、内部水１１の膨張や容器本体２内の内部圧力の上昇を緩和するための空間１２が水平方向に延在するが、バスケット１０を収容する内部遮蔽体１３は内部水１１に浸漬されているため、燃料集合体から放出された中性子は内部遮蔽体１３により減速されると共に、内部水１１により好適に遮蔽される。また、燃料集合体から放出されたガンマ線は容器本体２により遮蔽されると共に、燃料集合体から発生した熱は、容器本体２の外表面から効率よく放熱される。
【００３２】
なお、本実施の形態の輸送容器１は、原子力発電所等から再処理施設等への構外搬送に使用されるものに限られず、同じ原子力発電所等の構内移送に使用されるものであってもよい。
【００３３】
次に、本実施の形態における輸送容器の効果を確認するため、下記の試験を行った。即ち、Ｕ−２３５（ウラン２３５）の濃縮度が３．６％、燃焼度が約３６８００ＭＷｄ／ＭＴＵの沸騰水型発電炉（ＢＷＲ：Ｂｏｉｌｉｎｇ  Ｗａｔｅｒ  Ｒｅａｃｔｏｒ）用燃料を１５体、バスケット１０に収納し、輸送容器１を倒して置いた状態で、１８０日間冷却を行ったときの容器表面から１ｍの線量当量率をシミュレーションした。ここで、内部遮蔽体１３を炭素鋼製とし、容器本体２と内部遮蔽体１３とを構成する炭素鋼の合計の厚さを３８ｃｍに維持して、内部遮蔽体１３の厚さと、容器本体２の厚さの比率を変化させた。ここで、図２における内部遮蔽体１３の上端から内部水１１の水面までの距離ｃを６．５ｃｍとしているが、距離ｃは必要とされる中性子遮蔽能力に応じて適宜最適化されるものであって、必ずしも６．５ｃｍである必要はない。なお、国内輸送規則における容器表面から１ｍの線量当量率の基準値は１００μＳｖ／ｈである。この結果を図４に示す。
【００３４】
図４より、基準値を満たすには、内部遮蔽体１３の厚さは４０ｍｍ以上であればよいことがわかる。また、内部遮蔽体１３の厚さが１２０ｍｍ以上になると、線量当量率の低減効果が徐々に収束する傾向にある。そこで、内部遮蔽体１３が厚くなりすぎると内部遮蔽体１３のバスケット１０への取り付けの手間の負担が増加することを考慮して、内部遮蔽体１３の厚さは、４０ｍｍ以上１２０ｍｍ以下の範囲が好ましい。
【００３５】
次に、上記の試験条件において、内部遮蔽体１３の厚さを４０ｍｍに維持し、内部遮蔽体１３の材質をアルミニウム、銅、炭素鋼にそれぞれ変更した場合の、容器表面から１ｍの線量当量率をシミュレーションした。この結果を表１に示す。
【００３６】
【表１】
2006208127.tif 000003
【００３７】
表１より、銅と炭素鋼とは、略同等の中性子の減速効果及びガンマ線遮蔽機能を有することがわかる。よって、銅よりもコストの安い鉄及び鉄系合金がより好ましいといえる。一方、アルミニウムは、中性子の減速効果及びガンマ線遮蔽機能が共に炭素鋼、銅よりも劣ることがわかる。
【００３８】
以上のように、本実施の形態の放射性物質の輸送容器１は、ガンマ線を遮蔽する機能を有し、放射性物質を内部水１１に浸漬された状態で収容する内部空間８を有する容器本体２と、放射性物質から放出された中性子を減速させる無機材料により形成され、中性子を減速させてから内部水１１に進行させるように、放射性物質の周囲に配置された内部遮蔽体１３とを有する構成にされている。これによれば、放射性物質から放出された中性子を放射性物質に近接する位置に設置した内部遮蔽体１３が積極的に減速させるので、内部水１１で中性子を効率よく遮蔽することができて、従来のように、中性子を遮蔽するための樹脂系の中性子遮蔽材を容器本体の周囲に設ける必要がなくなる。これにより、放熱を促すための伝熱フィンを、熱伝導率の低い中性子遮蔽材を貫通させて設ける必要もなくなり、燃料集合体から発生した熱は、容器本体２の外表面から効率よく放熱される。よって、中性子遮蔽性能を損なうことなく、放射性物質の輸送容器１の構成をシンプルにすることができて、製造コストを抑え、解体を容易にすることができる。
【００３９】
また、内部遮蔽体１３が、放射性物質を含む燃料集合体を収容する格子を複数有するバスケット１０を収容しており、内部遮蔽体１３が、バスケット１０の外側面に接して配置された板状の分割体１３ａ〜１３ｌを、外側面に沿って複数連ねて構成された構成にされている。これによれば、バスケット１０の外側面への配置が容易な分割体１３ａ〜１３ｌをその外側面に沿って複数連ねることで、バスケット１０の外側面に接する内部遮蔽体１３を容易に製作できると共に、中性子は先に分割体１３ａ〜１３ｌを貫通してから内部水１１に進行するため、内部遮蔽体１３による中性子の減速効果を有効に得ることができる。
【００４０】
また、容器本体２の内部空間８の形状が円柱状であり、内部遮蔽体１３を収容した容器本体２を倒して置いたとき、内部遮蔽体１３に収容されたバスケット１０の最上段に位置する格子の数が、最下段に位置する格子の数よりも多い構成にされている。これによれば、輸送時等で容器本体２を倒して置いたときに、内部空間８の上方に、内部水１１の膨張や容器本体２内の内部圧力の上昇を緩和するための空間１２が水平方向に延在するが、内部遮蔽体１３を内部水１１に浸漬した状態を維持することができるため、前記内部空間８の上方側において、内部水１１による中性子遮蔽機能を損なうことがない。
【００４１】
また、内部遮蔽体１３を形成する無機材料が、鉄、鉄系合金、銅、銅系合金のうちのいずれかの金属からなる構成にされている。これによれば、汎用的な材料で、且つ、低コストで、優れた中性子の減速効果を有する内部遮蔽体１３を形成できる。また、これら材料はガンマ線遮蔽機能も有するので、内部遮蔽体１３としてより好適である。
【００４２】
また、内部遮蔽体１３の厚さが４０ｍｍ以上１２０ｍｍ以下に設定された構成にされている。これによれば、中性子の減速効果を好適に得ながら、内部遮蔽体１３のバスケット１０への取り付けの手間の負担増加を抑えることができる。
【００４３】
また、本発明を好適な実施の形態に基づいて説明したが、本発明はその趣旨を超えない範囲において変更が可能である。即ち、内部遮蔽体が、バスケットの外側面に接して配置された平坦な板状の分割体を、外側面に沿って複数連ねて構成されていなくても良い。この場合には、別加工されたＬ字状やコの字状の板状体を用いて内部遮蔽体を構成すればよい。また、中性子が好適に遮蔽されるのなら、内部遮蔽体はバスケットの外側面に接しているものに限られず、接することなく近接配置されるものでもよいが、内部遮蔽体とバスケットとの間のデッドスペースをなくすことで小型化できること、あるいは内部水の層の厚さを確保し易くなることから、内部遮蔽体をバスケットの外側面に接するように配置する方がより好ましい。
【００４４】
また、コストアップの抑制の面から図２に例示する態様が好ましいが、図５に示すように、内部遮蔽体に収容されたバスケットの最上段に位置する格子の数が、最下段に位置する格子の数よりも多くなくてもよい。図５には１７個の格子を有する内部遮蔽体が図示されており、最上段に２個、最上段の下段に４個、その下段に５個、その下段に４個、最下段に２個の格子が設けられている。この場合には、最上段の２個の格子が内部水に浸漬されておらず、上方に放出される中性子は内部水で遮蔽されないため、容器本体の上部外周に追加の補助遮蔽体を設けて、その中性子を遮蔽してやる必要がある。なお、輸送状態で輸送容器の内部空間の中心に対して内部遮蔽体に収容されたバスケットの中心を下方に偏心する位置とすることで、上方に十分な空間を確保しつつバスケットを内部水に浸漬し得るように構成すれば、補助遮蔽体を省くこともできる。
【００４５】
また、内部遮蔽体を形成する無機材料が、鉄、鉄系合金、銅、銅系合金のうちのいずれかの金属でなくてもよく、例えば鉛を用いてもよい。この場合には、コストアップになるが、内部水の汚染を避けるために、鉛をステンレス等の内部に鋳込むなどして封入したものを使用すればよい。
【００４６】
また、内部遮蔽体の厚さが４０ｍｍ以上１２０ｍｍ以下でなくてもよい。この場合には、厚さが４０ｍｍ以上であれば、１２０ｍｍ以上であっても、中性子を好適に減速させることができるため、内部水による中性子遮蔽機能を十分発揮できる。
【図面の簡単な説明】
【００４７】
【図１】放射性物質の輸送容器の断面図である。
【図２】図１のＡ−Ａ断面図である。
【図３】内部遮蔽体の説明図であり、（ａ）は正面図、（ｂ）は上面図、（ｃ）は（ａ）のＸ−Ｘ断面図、（ｄ）は底面図、（ｅ）は背面図である。
【図４】内部遮蔽体の厚さを変化させたときの容器表面から１ｍの線量当量率のシミュレーション結果を表すグラフ図である。
【図５】図１のＡ−Ａ断面図である。
【符号の説明】
【００４８】
１    輸送容器（放射性物質の輸送容器）
２    容器本体
２ａ    一端
２ｂ    他端
２ｃ    上端
２ｄ    下端
３    水位調整用ベントオリフィス
４    ドレンオリフィス
５    加圧バルブ
６    上部トラニオン
７    下部トラニオン
８    内部空間
９    蓋
９ａ    凸部
１０    バスケット
１１    内部水
１２    空間
１３    内部遮蔽体
１３ａ〜１３ｌ    分割体
１４ａ〜１４ｄ    支持金具
１５ａ〜１５ｅ    支持体
【図１】
2006208127.tif 000004
【図２】
2006208127.tif 000005
【図３】
2006208127.tif 000006
【図４】
2006208127.tif 000007
【図５】
2006208127.tif 000008